(57)【要約】【課題】画像をスクリーンなどに拡大投影する画像表示プロジェクタにおいて、放電ランプの状態を判別し、放電ランプの故障、非点灯及び寿命の末期に近づいたことをユーザに知らせる。【解決手段】ランプ状態判断部６４は、駆動信号発生部６１から駆動信号が発生されていないとき、放電ランプが切れているかあるいは断線しているので、放電ランプの故障と判断し、第２電圧判別部６３から過小電圧信号が出力されているときは、駆動信号の電圧が低すぎるので、放電ランプが点灯していないと判断する。さらに、第１電圧判別部６２から過大電圧信号が出力されているときは、駆動信号の電圧が高すぎるので、放電ランプの負荷が大きすぎ、放電ランプの寿命が末期に近づいた判断する。警報出力部６５は、ランプ状態判断部６４による判断結果に応じて、少なくとも放電ランプの故障、放電ランプが点灯していないこと、及び放電ランプの寿命が末期に近づいたことにそれぞれ対応する警報を出力させるので、ユーザはランプの交換の必要性を知ることができる。【選択図】図２
2005085629.tif 000002
【特許請求の範囲】
【請求項１】
放電ランプ、前記放電ランプを駆動するための放電ランプ駆動回路、マイクロミラー素子で構成された画像形成素子、外部から入力された画像データに基づいて前記画像形成素子を駆動する画像形成素子駆動回路、前記画像形成素子により形成された画像をスクリーンに投影する投影レンズ、前記放電ランプから出射された光束を前記画像形成素子側に反射させるためのミラー、及び少なくとも前記放電ランプの状態を表示可能な表示素子を備えた画像表示プロジェクタにおいて、
前記放電ランプ駆動回路は、
前記放電ランプに印加される所定の周波数及び電圧を有するパルス状の駆動信号を発生させると共に、前記放電ランプによる消費電力がほぼ一定となるように、前記放電ランプの負荷変動に応じて前記駆動信号の電圧を変化させるフィードバック制御を行う駆動信号発生部と、
前記放電ランプに印加される駆動信号の電圧を検出し、検出した駆動信号の電圧値が第１所定電圧以上であるときに、所定の過大電圧信号を出力する第１電圧判別部と、
前記放電ランプに印加される駆動信号の電圧を検出し、検出した駆動信号の電圧値が前記放電ランプが点灯可能な第２所定電圧未満であるときに、所定の過小電圧信号を出力する第２電圧判別部と、
前記駆動信号発生部、前記第１電圧判別部及び前記第２電圧判別部に接続され、前記駆動信号発生部から駆動信号が発生されていないときに、前記放電ランプの故障と判断し、前記駆動信号発生部から駆動信号が発生され、前記第１電圧判別部から前記過大電圧信号が出力されておらず、前記第２電圧判別部から前記過小電圧信号が出力されていないときに前記放電ランプが正常に点灯していると判断し、前記駆動信号発生部から駆動信号が発生され、かつ前記第２電圧判別部から前記過小電圧信号が出力されてるときに、前記放電ランプが点灯していないと判断し、前記駆動信号発生部から駆動信号が発生され、かつ前記第１電圧判別部から前記過大電圧信号が出力されているときに、前記放電ランプの寿命が末期に近づいていると判断するランプ状態判断部と、
前記ランプ状態判断部と前記表示素子との間に接続され、前記ランプ状態判断部による判断結果に応じて、少なくとも前記放電ランプの故障、前記放電ランプが点灯していないこと、及び前記放電ランプの寿命が末期に近づいていることにそれぞれ対応する警報を出力させる警報出力部とを備えたことを特徴とする画像表示プロジェクタ。
【請求項２】
放電ランプ、前記放電ランプを駆動するための放電ランプ駆動回路、マイクロミラー素子で構成された画像形成素子、外部から入力された画像データに基づいて前記画像形成素子を駆動する画像形成素子駆動回路、前記画像形成素子により形成された画像をスクリーンに投影する投影レンズ、前記放電ランプから出射された光束を前記画像形成素子側に反射させるためのミラー、及び少なくとも前記放電ランプの状態を表示可能な表示素子を備えた画像表示プロジェクタにおいて、
前記放電ランプ駆動回路は、
前記放電ランプに印加される所定の周波数及び電圧を有するパルス状の駆動信号を発生させると共に、前記放電ランプによる消費電力がほぼ一定となるように、前記放電ランプの負荷変動に応じて前記駆動信号の電圧を変化させるフィードバック制御を行う駆動信号発生部と、
前記放電ランプに印加される駆動信号の電圧を検出し、検出した駆動信号の電圧値が所定電圧以上であるときに、所定の過大電圧信号を出力する電圧判別部と、
前記放電ランプに印加される駆動信号の電流を検出し、検出した駆動信号の電流値が所定範囲からはずれているときに、所定の電流異常信号を出力する電流判別部と、
前記駆動信号発生部、前記電圧判別部及び前記電流判別部に接続され、前記駆動信号発生部から駆動信号が発生されていないときに、前記放電ランプの故障と判断し、前記駆動信号発生部から駆動信号が発生され、前記電圧判別部から前記過大電圧信号が出力されておらず、前記電流判別部から前記電流異常信号が出力されていないときに前記放電ランプが正常に点灯していると判断し、前記駆動信号発生部から駆動信号が発生され、かつ前記電流判別部から前記電流異常信号が出力されているときに、前記放電ランプが点灯していないと判断し、前記駆動信号発生部から駆動信号が発生され、かつ前記電圧判別部から前記過大電圧信号が出力されているときに、前記放電ランプの寿命が末期に近づいていると判断するランプ状態判断部と、
前記ランプ状態判断部と前記表示素子との間に接続され、前記ランプ状態判断部による判断結果に応じて、少なくとも前記放電ランプの故障、前記放電ランプが点灯していないこと、及び前記放電ランプの寿命が末期に近づいていることにそれぞれ対応する警報を出力させる警報出力部とを備えたことを特徴とする画像表示プロジェクタ。
【請求項３】
放電ランプ、前記放電ランプを駆動するための放電ランプ駆動回路、マイクロミラー素子で構成された画像形成素子、外部から入力された画像データに基づいて前記画像形成素子を駆動する画像形成素子駆動回路、前記画像形成素子により形成された画像をスクリーンに投影する投影レンズ、前記放電ランプから出射された光束を前記画像形成素子側に反射させるためのミラー、及び少なくとも前記放電ランプの状態を表示可能な表示素子を備えた画像表示プロジェクタにおいて、
前記放電ランプ駆動回路は、
前記放電ランプに印加される所定の駆動信号を発生させると共に、前記放電ランプによる消費電力がほぼ一定となるように、前記放電ランプの負荷変動に応じて前記駆動信号の電圧を変化させるフィードバック制御を行う駆動信号発生部と、
前記放電ランプに印加される駆動信号の電圧及び／又は電流に相当する信号を検出し、検出した電圧値及び／又は電流値に基づいて、前記放電ランプの故障、前記放電ランプの正常点灯、前記放電ランプの非点灯、及び、前記放電ランプの寿命が末期に近づいたことを判断するランプ状態判断部と、
前記ランプ状態判断部と前記表示素子との間に接続され、前記ランプ状態判断部による判断結果に応じて、少なくとも前記放電ランプの故障、前記放電ランプが点灯していないこと、及び前記放電ランプの寿命が末期に近づいたことにそれぞれ対応する警報を出力させる警報出力部とを備えたことを特徴とする画像表示プロジェクタ。
【請求項４】
前記放電ランプ駆動回路は、タイマ部をさらに備え、前記ランプ状態判断部が、前記放電ランプが点灯していないと判断したときに、前記駆動信号発生部による駆動信号の発生を停止すると共に、前記タイマ部により所定時間の経過をカウントし、前記所定時間経過後、前記駆動信号発生部による駆動信号の発生を再開することを特徴とする請求項１から３のいずれかに記載の画像表示プロジェクタ。
【発明の詳細な説明】
【技術分野】
【０００１】
本発明は、画像をスクリーンなどに投影する画像表示プロジェクタのランプ点灯制御に関する。
【背景技術】
【０００２】
従来から、パーソナルコンピュータやビデオカメラなどから出力される画像データを用いて、画像形成装置により画像を形成し、その画像を投影レンズによりスクリーンなどに投影して表示させる画像表示プロジェクタが知られている。
【０００３】
このような画像表示プロジェクタは、遠方に離れたスクリーンに画像を拡大して投影するため、画像を明るく表示するために、輝度が高い放電ランプを光源として使用している。放電ランプは、ランプ点灯開始後、放電を行っているランプの端子部分の負荷（ランプの負荷）が変動し、それに伴ってランプ点灯に必要な駆動電圧（ランプ電圧）も変化する。具体的には、ランプ点灯開始直後は、ランプ電圧は低く、その後徐々に上昇して安定する。また、放電ランプは、ランプ寿命の末期に近づくにつれて、全体的にランプ電圧が高くなる。
【０００４】
放電ランプのこのような性質に対して、放電ランプに印加する駆動信号の電圧（駆動電圧）を一定のままとすると、ランプの負荷の増大に伴ってランプの輝度が低下する。そのため、画像表示プロジェクタの駆動回路では、放電ランプの輝度が一定となるように、すなわち、放電ランプの消費電力がほぼ一定となるように駆動電圧をフィードバック制御している。一方、このようなフィードバック制御に応じて駆動電圧を高くしすぎると、放電ランプが破裂する危険性がある。そのため、従来から、駆動電圧を測定して、その値が所定電圧以上になったときに、警報を出力したり、あるいは放電ランプを消灯させる安全回路が設けられている。
【０００５】
なお、放電ランプに印加される駆動電圧を測定して、放電ランプの寿命を予測し、交換時期を知らせたり、故障を検出してユーザに知らせる技術として、例えば、特許文献１に示された放電ランプ点灯装置では、放電ランプの寿命が末期に近づくにつれてランプ電圧が上昇するという性質、及び放電ランプ点灯開始直後はランプ電圧が低く、その後徐々に上昇して安定する性質を利用して、ランプ点灯開始後、所定時間を経過した時点でランプ電圧を検出し、ランプ電圧が所定電圧以上である回数をカウントして、カウント数が所定回数を超えたときにランプ交換を表示する。また、特許文献２に示された放電点灯装置では、ランプの寿命が末期における短い時間でのランプ電圧の上昇による安全回路の誤動作を防止するために、ランプ寿命末期を検出すると、ランプ点灯開始から所定時間を経過した後でないと安定回路を作動させないようにしている。
【０００６】
【特許文献１】特開平５−３６４８１号公報
【特許文献２】特開２０００−４８９８９号公報
【発明の開示】
【発明が解決しようとする課題】
【０００７】
放電ランプでは、駆動電圧が低く、ランプが点灯していない状態であっても、電流が流れる。上記従来の画像表示プロジェクタの駆動回路では、放電ランプに印加される駆動電圧を測定して、許容される駆動電圧の上限に相当する所定電圧値と比較して危険な状態であるか否かを判断しているだけであるので、放電ランプが実際に点灯しているか否かを判断することができない。また、駆動電圧が低い状態で上記フィードバック制御を行うと、駆動回路に流れる電流が大きくなり、過電流による発熱など様々な危険が生じる可能性がある。さらに、放電ランプ消灯直後に再点灯させようとした場合（ホットスタート時）に、放電ランプ自体の温度が高くなっているため、ランプの負荷が大きく、駆動電圧を高くしなければ再点灯できない。そのため、放電ランプの故障と判断される可能性がある。これらの点に関しては、上記特許文献１又は２に示された従来の放電ランプ点灯装置においても同様である。
【０００８】
本発明は、上記従来例の問題を解決するためになされたものであり、放電ランプの状態を判断して、最適なランプ点灯制御が可能な画像表示プロジェクタを提供することを目的とする。
【課題を解決するための手段】
【０００９】
上記目的を達成するために請求項１の発明は、放電ランプ、前記放電ランプを駆動するための放電ランプ駆動回路、マイクロミラー素子で構成された画像形成素子、外部から入力された画像データに基づいて前記画像形成素子を駆動する画像形成素子駆動回路、前記画像形成素子により形成された画像をスクリーンに投影する投影レンズ、前記放電ランプから出射された光束を前記画像形成素子側に反射させるためのミラー、及び少なくとも前記放電ランプの状態を表示可能な表示素子を備えた画像表示プロジェクタにおいて、
前記放電ランプ駆動回路は、
前記放電ランプに印加される所定の周波数及び電圧を有するパルス状の駆動信号を発生させると共に、前記放電ランプによる消費電力がほぼ一定となるように、前記放電ランプの負荷変動に応じて前記駆動信号の電圧を変化させるフィードバック制御を行う駆動信号発生部と、
前記放電ランプに印加される駆動信号の電圧を検出し、検出した駆動信号の電圧値が第１所定電圧以上であるときに、所定の過大電圧信号を出力する第１電圧判別部と、
前記放電ランプに印加される駆動信号の電圧を検出し、検出した駆動信号の電圧値が前記放電ランプが点灯可能な第２所定電圧未満であるときに、所定の過小電圧信号を出力する第２電圧判別部と、
前記駆動信号発生部、前記第１電圧判別部及び前記第２電圧判別部に接続され、前記駆動信号発生部から駆動信号が発生されていないときに、前記放電ランプの故障と判断し、前記駆動信号発生部から駆動信号が発生され、前記第１電圧判別部から前記過大電圧信号が出力されておらず、前記第２電圧判別部から前記過小電圧信号が出力されていないときに前記放電ランプが正常に点灯していると判断し、前記駆動信号発生部から駆動信号が発生され、かつ前記第２電圧判別部から前記過小電圧信号が出力されているときに、前記放電ランプが点灯していないと判断し、前記駆動信号発生部から駆動信号が発生され、かつ前記第１電圧判別部から前記過大電流信号が出力されているときに、前記放電ランプの寿命が末期に近づいたと判断するランプ状態判断部と、
前記ランプ状態判断部と前記表示素子との間に接続され、前記ランプ状態判断部による判断結果に応じて、少なくとも前記放電ランプの故障、前記放電ランプが点灯していないこと、及び前記放電ランプの寿命が末期に近づいたことにそれぞれ対応する警報を出力させる警報出力部とを備えたことを特徴とする。
【００１０】
また、請求項２の発明は、放電ランプ、前記放電ランプを駆動するための放電ランプ駆動回路、マイクロミラー素子で構成された画像形成素子、外部から入力された画像データに基づいて前記画像形成素子を駆動する画像形成素子駆動回路、前記画像形成素子により形成された画像をスクリーンに投影する投影レンズ、前記放電ランプから出射された光束を前記画像形成素子側に反射させるためのミラー、及び少なくとも前記放電ランプの状態を表示可能な表示素子を備えた画像表示プロジェクタにおいて、
前記放電ランプ駆動回路は、
前記放電ランプに印加される所定の周波数及び電圧を有するパルス状の駆動信号を発生させると共に、前記放電ランプによる消費電力がほぼ一定となるように、前記放電ランプの負荷変動に応じて前記駆動信号の電圧を変化させるフィードバック制御を行う駆動信号発生部と、
前記放電ランプに印加される駆動信号の電圧を検出し、検出した駆動信号の電圧値が所定電圧以上であるときに、所定の過大電圧信号を出力する電圧判別部と、
前記放電ランプに印加される駆動信号の電流を検出し、検出した駆動信号の電流値が所定範囲からはずれているときに、所定の電流異常信号を出力する電流判別部と、
前記駆動信号発生部、前記電圧判別部及び前記電流判別部に接続され、前記駆動信号発生部から駆動信号が発生されていないときに、前記放電ランプの故障と判断し、前記駆動信号発生部から駆動信号が発生され、前記電圧判別部から前記過大電圧信号が出力されておらず、前記電流判別部から前記電流異常信号が出力されていないときに前記放電ランプが正常に点灯していると判断し、前記駆動信号発生部から駆動信号が発生され、かつ前記電流判別部から前記電流異常信号が出力されているときに、前記放電ランプが点灯していないと判断し、前記駆動信号発生部から駆動信号が発生され、かつ前記電圧判別部から前記過大電圧信号が出力されているときに、前記放電ランプの寿命が末期に近づいたと判断するランプ状態判断部と、
前記ランプ状態判断部と前記表示素子との間に接続され、前記ランプ状態判断部による判断結果に応じて、少なくとも前記放電ランプの故障、前記放電ランプが点灯していないこと、及び前記放電ランプの寿命が末期に近づいたことにそれぞれ対応する警報を出力させる警報出力部とを備えたことを特徴とする。
【００１１】
また、請求項３発明は、放電ランプ、前記放電ランプを駆動するための放電ランプ駆動回路、マイクロミラー素子で構成された画像形成素子、外部から入力された画像データに基づいて前記画像形成素子を駆動する画像形成素子駆動回路、前記画像形成素子により形成された画像をスクリーンに投影する投影レンズ、前記放電ランプから出射された光束を前記画像形成素子側に反射させるためのミラー、及び少なくとも前記放電ランプの状態を表示可能な表示素子を備えた画像表示プロジェクタにおいて、
前記放電ランプ駆動回路は、
前記放電ランプに印加される所定の駆動信号を発生させると共に、前記放電ランプによる消費電力がほぼ一定となるように、前記放電ランプの負荷変動に応じて前記駆動信号の電圧を変化させるフィードバック制御を行う駆動信号発生部と、
前記放電ランプに印加される駆動信号の電圧及び／又は電流に相当する信号を検出し、検出した電圧値及び／又は電流値に基づいて、前記放電ランプの故障、前記放電ランプの正常点灯、前記放電ランプの非点灯、及び、前記放電ランプの寿命が末期に近づいたことを判断するランプ状態判断部と、
前記ランプ状態判断部と前記表示素子との間に接続され、前記ランプ状態判断部による判断結果に応じて、少なくとも前記放電ランプの故障、前記放電ランプが点灯していないこと、及び前記放電ランプの寿命が末期に近づいたことにそれぞれ対応する警報を出力させる警報出力部とを備えたことを特徴とする。
【００１２】
また、請求項４の発明は、上記請求項１から３のいずれかにおいて、前記放電ランプ駆動回路は、タイマ部をさらに備え、前記ランプ状態判断部が、前記放電ランプが点灯していないと判断したときに、前記駆動信号発生部による駆動信号の発生を停止すると共に、前記タイマ部により所定時間の経過をカウントし、前記所定時間経過後、前記駆動信号発生部による駆動信号の発生を再開することを特徴とする。
【発明の効果】
【００１３】
請求項１の発明によれば、ランプ状態判断部は、駆動信号発生部から駆動信号が発生されていないとき、すなわち駆動信号発生部が機能していないときは、放電ランプが切れているかあるいは断線しているので、放電ランプの故障と判断する。また、駆動信号発生部から駆動信号が発生され、第１電圧判別部から過大電圧信号が出力されておらず、第２電圧判別部から過小電圧信号が出力されていないときは、駆動信号発生部が正常に機能しており、駆動信号の電圧が正常であるので、放電ランプが正常に点灯していると判断する。さらに、駆動信号発生部から駆動信号が発生され、かつ第２電圧判別部から過小電圧信号が出力されているときは、駆動信号発生部が機能しており、放電ランプに電流が流れているものの、駆動信号の電圧が低すぎるので、放電ランプが点灯していないと判断する。さらに、駆動信号発生部から駆動信号が発生され、かつ第１電圧判別部から過大電圧信号が出力されているときは、駆動信号の電圧が高すぎるので、放電ランプの負荷が大きすぎ、放電ランプの寿命が末期に近づいた判断する。また、警報出力部は、ランプ状態判断部による判断結果に応じて、少なくとも放電ランプの故障、放電ランプが点灯していないこと、及び放電ランプの寿命が末期に近づいたことにそれぞれ対応する警報を出力させるので、ユーザはランプの交換の必要性を知ることができる。
【００１４】
また、請求項２の発明によれば、ランプ状態判断部は、駆動信号発生部から駆動信号が発生されていないとき、すなわち駆動信号発生部が機能していないときは、放電ランプが切れているかあるいは断線しているので、放電ランプの故障と判断する。また、駆動信号発生部から駆動信号が発生され、第１電圧判別部から過大電圧信号が出力されておらず、電流判別部から電流異常信号が出力されていないときは、駆動信号発生部が正常に機能しており、駆動信号の電圧および電流が正常であるので、放電ランプが正常に点灯していると判断する。さらに、駆動信号発生部から駆動信号が発生され、かつ電圧判別部から電流異常信号が出力されているときは、駆動信号発生部が機能しており、放電ランプに電流が流れているものの、駆動信号の電流が過大又は過小であるので、放電ランプが点灯していないと判断する。さらに、駆動信号発生部から駆動信号が発生され、かつ電圧判別部から過大電圧信号が出力されているときは、駆動信号の電圧が高すぎるので、放電ランプの負荷が大きすぎ、放電ランプの寿命が末期に近づいた判断する。また、警報出力部は、ランプ状態判断部による判断結果に応じて、少なくとも放電ランプの故障、放電ランプが点灯していないこと、及び放電ランプの寿命が末期に近づいたことにそれぞれ対応する警報を出力させるので、ユーザはランプの交換の必要性を知ることができる。
【００１５】
また、請求項３の発明によれば、ランプ状態判断部は、駆動信号発生部から駆動信号が発生されていないとき、すなわち駆動信号発生部が機能していないときは、放電ランプが切れているかあるいは断線しているので、放電ランプの故障と判断する。また、駆動信号発生部から駆動信号が発生され、かつ駆動信号の電圧及び／又は電流が正常であるときは、放電ランプが正常に点灯していると判断する。また、駆動信号発生部から駆動信号が発生され、かつ駆動信号の電圧及び／又は電流が異常であるときは、その電圧値及び／又は電流値に応じて、放電ランプの非点灯又は放電ランプの寿命が末期に近づいたことを判断することができる。また、警報出力部は、ランプ状態判断部による判断結果に応じて、少なくとも放電ランプの故障、放電ランプが点灯していないこと、及び放電ランプの寿命が末期に近づいたことにそれぞれ対応する警報を出力させるので、ユーザはランプの交換の必要性を知ることができる。
【００１６】
また、請求項４の発明によれば、放電ランプが点灯していないときに、所定時間を経過したあと、再度放電ランプの再点灯を試みるので、放電ランプの消灯直後に再点灯を行う、いわゆるホットスタート時に、放電ランプを点灯させることができる。
【発明を実施するための最良の形態】
【００１７】
本発明を実施するための最良の形態について図面を参照して説明する。図１は、本発明に係る画像表示プロジェクタ１のカバーを開いた状態を示す。画像表示プロジェクタ１は、例えばパーソナルコンピュータやビデオカメラなどから入力された画像データを用いて画像を形成し、形成した画像を前方に設けられたスクリーンなどに拡大して投影する装置である。
【００１８】
画像表示プロジェクタ１は、放電ランプ２、マイクロミラー素子で構成された画像形成素子３、画像形成素子３により形成された画像をスクリーンに投影する投影レンズ４、放電ランプ２から出射された光束を画像形成素子３側に反射させるためのミラー５、回路基板６、ヒートシンク７、導電部品８、支持体９、ハウジング１０、ＬＣＤなどの表示素子１２などを備える。ハウジング１０は、シャーシ１０ａ及びカバー１０ｂなどで構成され、カバー１０ｂシャーシ１０ａに対して着脱可能である。
【００１９】
画像形成素子３を構成するマイクロミラー素子は、例えばＣＣＤなどの撮像装置の画素に対応するように、静電吸着などによって駆動される可動マイクロミラーをマトリクス状に配列したものであり、画像データに基づいて各マイクロミラーを制御し、放電ランプ２から出射される光束の反射方向を変化させる。従って、マイクロミラーにより投影レンズ５側に反射された光束のみがスクリーン上に到達し、スクリーン上に画像が投影される。
【００２０】
回路基板６は、画像データを用いて画像形成素子３を駆動するための、画像形成素子駆動回路と、後述する放電ランプ２を制御する放電ランプ駆動回路６０（図２参照）を含む。ヒートシンク７は、画像形成素子３に放電ランプ２から光束が照射されることにより生じる熱を放出するためのものである。また、導電部品８は、ヒートシンク７から放射される電磁ノイズを抑制するためのものである。画像形成素子３、ミラー５、回路基板６、ヒートシンク７、導電部品８などは、支持体９に固定されている。
【００２１】
画像表示プロジェクタ１では、遠方に離れたスクリーン上になるべく輝度の高い画像を投影すべく、光源として輝度の高い放電ランプ２を用いている。放電ランプ２は、上記のように、ランプ点灯開始直後は、ランプ電圧は低く、その後徐々に上昇して安定するという第１の性質、及び、ランプ寿命の末期に近づくにつれて、全体的にランプ電圧が高くなるという第２の性質を有している。そのため、放電ランプ駆動回路６０は、従来の装置と同様に、放電ランプの故障及び放電ランプの寿命が末期に近づいたことを検出することができるとともに、さらに放電ランプが点灯していないことも検出し、表示素子１２に放電ランプの状態を表示させる。
【００２２】
放電ランプ駆動回路６０の一構成例を図２に示す。放電ランプ駆動回路６０は、放電ランプ２に印加される所定の周波数及び電圧を有するパルス状の駆動信号を発生させると共に、放電ランプ２による消費電力がほぼ一定となるように、放電ランプ２の負荷変動に応じて駆動信号の電圧を変化させるフィードバック制御を行うインバータ回路などの駆動信号発生部６１と、放電ランプ２に印加される駆動信号の電圧を検出し、検出した駆動信号の電圧値が放電ランプ２の負荷が大きすぎて放電ランプが破裂するなどの危険が生じる可能性がある第１所定電圧以上であるときに、所定の過大電圧信号を出力する第１電圧判別部（ＯＶＰ：Over Voltage Protection）６２と、放電ランプ２に印加される駆動信号の電圧を検出し、検出した駆動信号の電圧値が、放電ランプ２が点灯可能な第２所定電圧未満であるときに、所定の過小電圧信号を出力する第２電圧判別部（ＵＶＬ：Under Voltage Lockout）６３と、駆動信号発生部６１、第１電圧判別部６２及び第２電圧判別部６３に接続され、ランプ状態を判断するランプ状態判断部６４と、ランプ状態判断部６４と表示素子１２との間に接続され、ランプ状態判断部６４による判断結果に応じて所定の警報を表示素子１２に表示させる警報出力部６５と、放電ランプ２の点灯開始時に、放電ランプ２に高電圧を印加して点灯を容易にさせるためのイグナイタ６６、後述するタイマ部６８、再試行部６９などを備える。
【００２３】
放電ランプ２が切れているとき又は断線しているときは、放電ランプ２に電流が流れないので、駆動信号発生部６１からは駆動信号は出力されない。従って、ランプ状態判断部６４は、駆動信号発生部６１から駆動信号が発生していないときに、放電ランプ２の故障と判断する。また、駆動信号発生部６４から駆動信号が発生され、第１電圧判別部６２から過大電圧信号が出力されておらず、第２電圧判別部６３から過小電圧信号が出力されていないときには、駆動信号の電圧は正常値の範囲にあるので、放電ランプ２は正常に点灯していると考えられる。そこで、ランプ状態判断部６４は、放電ランプ２が正常に点灯していると判断する。さらに、駆動信号発生部６１から駆動信号が発生され、かつ第２電圧判別部６３から過小電圧信号が出力されているときは、放電ランプ２に電流が流れているものの、駆動信号の電圧が低すぎて放電ランプ２が点灯していないと考えられる。そこで、ランプ状態判断部６４は、放電ランプ２が点灯していないと判断する。さらに、駆動信号発生部６１から駆動信号が発生され、かつ第１電圧判別部６２から過大電流信号が出力されているときには、放電ランプ２の負荷が大きく、駆動信号の電圧が非常に高くなっていると考えられる。一般的に、放電ランプ２の寿命が末期に近づいているときのこの現象が起こるので、ランプ状態判断部６４は、放電ランプ２の寿命が末期に近づいたと判断する。
【００２４】
警報出力部６５は、ランプ状態判断部６４の判断結果に基づいて、放電ランプの故障、放電ランプが点灯していないこと及び放電ランプの寿命が末期に近づいたことにそれぞれ対応して、表示素子１２上に所定の警報メッセージを出力させる。なお、表示素子１２としてＬＣＤなどのディスプレイ素子の変わりに、赤色ＬＥＤなどを用いてもよい。その場合、複数のＬＥＤの組み合わせによって、表示内容を識別するように構成してもよい。
【００２５】
次に、放電ランプ駆動回路６０の他の構成例を図３に示す。放電ランプ駆動回路６０は、放電ランプ２に印加される駆動信号を発生させる駆動信号発生部６１と、放電ランプ２に印加される駆動信号の電圧を検出し、検出した駆動信号の電圧値が放電ランプ２の負荷が大きすぎて放電ランプが破裂するなどの危険が生じる可能性がある所定電圧以上であるときに、所定の過大電圧信号を出力する電圧判別部（ＯＶＰ：Over Voltage Protection）６２と、放電ランプ２に印加される駆動信号の電流を検出し、検出した駆動信号の電流値が、放電ランプ２が点灯可能な所定電流範囲からはずれているときに、所定の電流異常信号を出力する電流判別部６７と、駆動信号発生部６１、電圧判別部６２及び電流判別部６７に接続され、ランプ状態を判断するランプ状態判断部６４と、ランプ状態判断部６４による判断結果に応じて所定の警報を表示素子１２に表示させる警報出力部６５と、イグナイタ６６、タイマ部６８、再試行部６９などを備える。
【００２６】
図２に示す放電ランプ駆動回路６０の構成例では、駆動信号の電圧を、放電ランプ２が正常に点灯している範囲の上限値及び下限値と比較しているが、図３に示す構成例では、駆動信号の電流を、放電ランプ２が正常に点灯している範囲の上限値及び下限値と比較する。
【００２７】
例えば、放電ランプ２を１５０Ｗで駆動する場合を例にして、放電ランプ２の駆動について簡単に説明する。駆動信号の電圧を７５Ｖに設定すると、放電ランプ２が安定している状態では駆動信号の電流は２Ａの近傍で推移している。この状態では、駆動信号の電圧を７５Ｖに固定したとても、放電ランプ２の負荷が多少変動し、それに伴って駆動電流が変化しても、放電ランプ２の輝度の変化は小さく、スクリーンに投影される画像への影響は少ない。これに対して、前述のように、放電ランプ２は、ランプ点灯開始後、放電を行っているランプの端子部分の負荷が小さく、ランプ電圧も低いが、その後ランプ負荷が徐々に上昇し、それに伴ってランプ電圧も高くなる。また、経時劣化として、放電ランプ２の寿命が末期に近づくにつれて、全体的にランプ電圧が高くなる。そのため、放電ランプ駆動回路６０では、例えば駆動信号の電圧を５０Ｖから１５０Ｖの範囲で変化させることによって、放電ランプ２による消費電力がほぼ１５０Ｗとなるように制御する。駆動信号の電圧が５０Ｖのとき、駆動信号の電流は３Ａの近傍で推移する。また、駆動信号の電圧が１５０Ｖのとき、駆動信号の電流は１Ｖの近傍で推移する。従って、図３に示す構成例では、電流判別部６７は、駆動信号の電圧が１Ａ以下及び３Ａ以下の範囲ときに放電ランプ２が正常に点灯していると判断し、この範囲から外れたときに電流異常信号を出力する。図２に示す第２電圧判別部６３では、駆動信号の電圧が５０Ｖ未満になったときに過小電圧信号を出力する。また、第１電圧判別部６２は、駆動信号の電圧が１５０Ｖを超えたときに過大電圧信号を出力する。なお、誤差などを考慮して閾値を５２Ｖ及び１４５Ｖなどの値に設定してもよい。
【００２８】
放電ランプ２の消費電力（ワット数）と駆動信号の電圧の関係を図４に示す。図４から分かるように、上述のように、駆動信号の電圧が５０Ｖから１５０Ｖ（図４では１５０Ｖ付近は描かず）の範囲であれば、放電ランプ２の消費電力を１５０Ｗ付近でほぼ安定させることができる。また、駆動信号の電圧が５０Ｖ未満の領域では、放電ランプ２の消費電力の変化が非常に大きく、放電ランプ２の状態が安定していないことが分かる。さらに、駆動信号の電圧が低い場合、１５０Ｗを目標にしてフィードバック制御を行うと、３Ａ以上の大電流が放電ランプ駆動回路６０に流れるので、放電ランプ駆動回路６０から発熱したり、発熱に起因して放電ランプ駆動回路６０が故障する可能性がある。しかしながら、駆動信号の電圧値を放電ランプ２が正常に点灯している範囲の上限値に加えて下限値とも比較し、又は、駆動信号の電流を放電ランプ２が正常に点灯している範囲の上限値及び下限値と比較し、これらの範囲から外れているときに異常として警報を発することにより、放電ランプ駆動回路６０に大電流が流れることによるトラブルを未然に防止することができる。また、必要に応じて自動的に駆動信号の出力を停止するようにしてもよい。
【００２９】
次に、ホットスタート時における再点灯機能について、図５に示すフローチャートを参照しつつ説明する。放電ランプ２では、消灯直後に再点灯する場合のように、放電ランプ２自体の温度が高くなっている状態では、内部の圧力が高くなっているので、再点灯しにくいことが知られている。このようなホットスタート時における放電ランプ２の非点灯の場合、放電ランプ２自体は故障していないので、温度が低下し、放電ランプ２の内部の圧力が低下すれば再点灯可能である。そこで、上記放電ランプ駆動回路６０では、ランプ状態判断部６４により放電ランプ２の非点灯と判断された場合に、放電ランプ２の故障による非点灯とホットスタート時における非点灯とを識別するために、再試行機能を有している。
【００３０】
ランプ状態判断部６４が放電ランプ２の非点灯と判断すると（Ｓ１）、駆動信号発生部６１は駆動信号の発生を停止する（Ｓ２）。また、再試行部６９は、再試行回数カウンタのカウント数を１つ増加させ（Ｓ３）、再試行回数が所定試行回数に達しているか否かを判断する（Ｓ４）。所定試行回数に達していない場合（Ｓ４でＮＯ）、タイマ部６８はタイマのカウントを開始する（Ｓ５）。タイマ部６８が放電ランプ２の内部の圧力が低下するのに要する所定時間、例えば３０秒をカウントすると（Ｓ６）、再試行部６９は、駆動信号発生部６１に対して駆動信号を再度発生させる（Ｓ７）。そして、ステップＳ１に戻って、放電ランプ２が非点灯か否かを判断する。ここで、放電ランプ２が点灯すると、放電ランプ２自体は正常であるので、ランプ状態判断部６４は、放電ランプ２は正常であると判断して（Ｓ９）、このシーケンスを終了する。また、ステップＳ１で、放電ランプ２が再度非点灯の場合、ステップＳ２からＳ７を所定回数繰り返す。そして、ステップＳ４で、所定回数、例えば３回、再試行を行っても放電ランプ２が点灯しない場合は（Ｓ４でＹＥＳ）、ランプ状態判断部６４は、放電ランプ２の故障と判断し（Ｓ９）、このシーケンスを終了する。このように、再試行機能を持たせることにより、放電ランプ２の故障による非点灯とホットスタート時における非点灯とを識別することができる。
【００３１】
なお、上記実施の形態では、画像形成素子３としてマイクロミラー素子を用いた例を示したが、本発明はこれに限定されるものではなく、その他の画像形成素子、例えば液晶表示素子などを画像形成素子に用いた画像表示プロジェクタであってもよい。さらに、放電ランプ２の種類は特に限定されず、キセノンランプやハロゲンランプなど高輝度の放電ランプであればよい。
【図面の簡単な説明】
【００３２】
【図１】本発明の一実施の形態に係る画像表示プロジェクタの構成を示すし斜視図
【図２】上記画像表示プロジェクタにおける放電ランプ駆動回路の一構成例を示すブロック図
【図３】上記画像表示プロジェクタにおける放電ランプ駆動回路の他の構成例を示すブロック図
【図４】放電ランプの消費電力と駆動信号の電圧との関係を示すグラフ
【図５】上記画像表示プロジェクタにおける放電ランプ駆動回路の放電ランプ点灯の再試行機能を示すフローチャート
【符号の説明】
【００３３】
１  画像表示プロジェクタ
２  放電ランプ
３  画像形成素子
４  投影レンズ
６  回路基盤
１２  表示素子
６０  放電ランプ駆動回路
６１  駆動信号発生部
６２  第１電圧判別部
６３  第２電圧判別部
６４  ランプ状態判断部
６５  警報出力部
６７  電流判別部
６８  タイマ部
６９  再試行部
【図１】
2005085629.tif 000003
【図２】
2005085629.tif 000004
【図３】
2005085629.tif 000005
【図４】
2005085629.tif 000006
【図５】
2005085629.tif 000007